(57)【要約】【課題】目合いが細かく微小害虫の侵入を防止し、しかもシートの重量が軽く作業性に優れ、かつ通気性を維持するネット状シートを提供する。【解決手段】熱融着性繊維からなる繊度２２０デシテクス未満のフィラメントを経糸２と緯糸３に用い編織してなる織物又は編物であり、フィラメント同士の交点Ｐが熱融着されたネット状シート１。好ましくは、ネット状シート１のフィラメントの繊度が３３〜１１０デシテクスであり、また熱融着性繊維がポリエステル樹脂からなり、その熱融着温度が１７０℃以上であって、目合いＡ，Ｂが０．３０〜０．８０ｍｍ、通風抵抗が５．０Ｐａ以下である。【選択図】　　図１
0003097738.tif 000002
【実用新案登録請求の範囲】
【請求項１】
熱融着性繊維からなる繊度２２０デシテクス未満のフィラメントを編織してなる織物又は編物であり、前記フィラメント同士の交点が熱融着されている
ことを特徴とするネット状シート。
【請求項２】
前記フィラメントの繊度が３３〜１１０デシテクスである
ことを特徴とする請求項１に記載のネット状シート。
【請求項３】
前記熱融着性繊維がポリエステル樹脂からなり、その熱融着温度が１７０℃以上である
ことを特徴とする請求項２に記載のネット状シート。
【請求項４】
前記織物又は編物の目合いが０．３０〜０．８０ｍｍである
ことを特徴とする請求項２又は３に記載のネット状シート。
【請求項５】
前記織物又は編物の通風抵抗が５．０Ｐａ以下である
ことを特徴とする請求項４に記載のネット状シート。
【考案の詳細な説明】
【０００１】
【考案の属する技術分野】
本考案は、農業用被覆ネット、防虫ネットや各種防護用ネットに使用されるネット状シートに関し、微小害虫の侵入を阻止することができる、農作物の無農薬、減農薬栽培に適したネット状シートに関するものである。
【０００２】
【従来の技術】
野菜、花、樹木などの栽培用ハウスに使用される農業用被覆ネットは、防虫や防霜性を有しながら通気性や通水性のあるネット状シートが使用され、ハウス内に侵入する害虫駆除のための化学農薬の使用量減量やさらには無農薬栽培を実現する技術として重要なものである。
【０００３】
ネット状シートは、ネットの目合いを細かくして小型害虫の侵入を防止し、しかも目合いの細かさに背反するシートの軽量化や通気性を確保し作業性の向上やハウス内の通風をよくし温湿度の上昇、ムレを防止することで農作物の育成に悪影響を与えないようにする必要がある。
【０００４】
このネット状のシートとして、例えば、総繊度６０〜２５００デニールの熱融着性繊維と、幅０．５〜３０ｍｍのテープヤーンが織製され、且つ該織物の熱融着繊維同士の交点が熱融着され、その交点が一定以上の剥離強度を有するネット状の資材が特開平１０−４４２７３号公報に開示されている。
【０００５】
【考案が解決しようとする課題】
しかしながら、シルバーリーフコナジラミのようなコナジラミ類、ハモグリバエ類やスリップス類などの微小害虫の侵入を完全に防止するには、従来のネット（目合いが１．０ｍｍ以上）よりも細かな目合い、例えば０．８ｍｍ以下の目合いを必要とするが、従来の太いフィラメントを用いて糸の打ち込み密度を増加し目合いを細かなものにしたネットでは、害虫の侵入を防止することはできるが、シート重量が重くなり通気性や通水性も低下し、作業性の悪化や農作物栽培に悪影響を及ぼすという問題を生じてくる。
【０００６】
そこで本考案の目的は、ネットの目合いが細かく微小害虫の侵入を完全に防止することができ、しかもシートの重量が軽く作業性に優れ、かつ通気性や通水性を確保し農作物の栽培に支障を来すことのないネット状シートを提供することにある。
【０００７】
【課題を解決するための手段】
本考案のネット状シートは、熱融着性繊維からなる繊度２２０デシテクス未満のフィラメントを編織してなる織物又は編物であり、前記フィラメント同士の交点が熱融着されていることを特徴とする。
【０００８】
本考案のネット状シートによれば、繊度２２０デシテクス未満のフィラメントを用いることにより、糸の密度を高くして目合いの細かな織物や編物からなるネット状シートを製織することができ、さらに交点の熱融着によりネットの目ズレやホズレを生じることがなく、害虫の侵入防止とシートの軽量化、通気性や通水性の向上とを両立することができる。
【０００９】
前記フィラメントの繊度が３３〜１１０デシテクスであると、織物又は編物の高密度化がさらに容易なものとなり、ネットの目合いをより細かくすることが可能となり微小害虫の侵入防止に確実に対応し、かつ高密度化によっても糸の間隔を維持して通気性を確保し、シートの更なる軽量化を実現することができる。
【００１０】
本考案においては、前記熱融着性繊維がポリエステル樹脂からなり、その熱融着温度が１７０℃以上であることが好ましく、ポリエステル樹脂からなるフィラメントは強度、耐久性に優れ、その使用済みシートの焼却処理においても有害ガスを発生することがなく、また熱融着温度が１７０℃以上であることで、熱融着部の接着強度や耐熱安定性を確保して目ズレやホズレの防止、炎天下の使用においても耐久性が得られる。
【００１１】
さらに、前記織物又は編物の目合いが０．３０〜０．８０ｍｍであり、通風抵抗が５．０Ｐａ以下であることが好ましく、微小害虫の侵入を確実に防止し、シートの通気性や通水性を維持して温度や湿度の上昇、ムレの発生を防いで農作物の育成を妨げることがない。
【００１２】
【考案の実施の形態】
以下に、本考案の実施の形態を図面を参照して説明する。
【００１３】
図１は実施形態の平織物からなるネット状シート１の平面模式図である。図において符号２は経糸、３は緯糸、Ａ，Ｂは経糸、緯糸の目合い、Ｐは経糸２と緯糸３の交点である。
【００１４】
本考案のネット状シート１は、熱可塑性樹脂を溶融紡糸して得られた繊度２２０デシテクス未満のフィラメントを経糸２と緯糸３とに用いて編織してなる織物又は編物である。
【００１５】
ネット状シート１は図１に示すような平織物の他に、からみ織りやラッセル織り、よこ編物やたて編物であってもよく、その編織の形態は特に限定されるものではないが、製織性や糸同士の間隔、経糸及び緯糸の列びを均一に保ち所定の目合いを形成しやすい点で平織物が好ましい。
【００１６】
本考案のネット状シート１に使用されるフィラメントは、熱可塑性樹脂を溶融紡糸して得られるもので、例えば、高密度や低密度、線状低密度のポリエチレン、ポリプロピレン、ポリエチレンテレフタレート等のポリエステル樹脂、ナイロン６、６６等の脂肪族ポリアミド樹脂、ポリ塩化ビニルなどの各種の熱可塑性樹脂が挙げられ、それらの単独或いは複合フィラメントを用いることができる。
【００１７】
このフィラメントは、モノフィラメントであっても、マルチフィラメントであってもよく、マルチフィラメントを用いる場合は５〜５０回／１０ｃｍ程度の撚りを加えて、フィラメントの集束性や糸の強度を向上したものも使用できる。
【００１８】
さらに本考案のネット状シート１では、経糸２と緯糸３に同一構成のフィラメントを使用してもよいし、シートの用途や要求性能に従って経糸２と緯糸３に樹脂材料や繊度、フィラメント構成の異なるフィラメントを使用することもできる。
【００１９】
本考案では、上記熱可塑性樹脂の中でも、強度や耐久性に優れ、後述する糸の交点でのフィラメント同士の熱融着による接着強度の確保、炎天下で使用される場合の耐熱安定性等の観点から、熱融着温度すなわち樹脂の軟化点が１７０℃以上であるポリエステル樹脂やナイロン樹脂が好ましく、さらに使用後シートの焼却処分において有害ガスを発生することのないポリエステル樹脂がより好ましい。
【００２０】
また、上記樹脂には、耐候性、耐光性、難燃性等を付与するために、各種の耐候剤や耐光剤、難燃剤を添加したものでもよく、さらに遮光性や外観を向上するために各種顔料を添加し黒、灰、青色等に着色されたものを使用することもできる。
【００２１】
本考案に使用されるフィラメントの繊度は２２０デシテクス未満であり、さらには繊度が３３〜１１０デシテクスであることが好ましい。
【００２２】
フィラメントの繊度が２２０デシテクス以上であると、防虫効果を向上するために糸の密度を高くして目合いを細かくすると、シート重量が増加すると同時に通気性や通水性も低下し、栽培用ハウスの展張、収納等の作業性の悪化、ハウス内の温湿度の上昇やムレを生じて農作物に悪影響を及ぼし好ましくない。
【００２３】
従って、本考案では、フィラメント繊度を２２０デシテクス未満とすることで、ネットの目合いを所定の細かさとして糸の間隔を保ち害虫の侵入を防止し、しかもシートの軽量化と通気性の向上を両立できるようになる。
【００２４】
さらに、フィラメント繊度が１１０デシテクス未満であると、糸の密度のさらなる高密度化が可能となり、ネットの目合いをより細かくすることで微小害虫の侵入を確実に防止し、かつ糸の間隔を維持して通気性を確保し、シートの軽量化を達成することができる。しかし、フィラメント繊度が３３デシテクス未満になると、糸が細くなり編織加工性が低下し、また糸の強力が低くなるためシートの強度や剛性が低下し耐久性や作業時の取り扱い性、ハウス等の形態保持性を低下させ、さらに糸交点Ｐでの熱融着による接着強度が十分得られず好ましくない。
【００２５】
本考案のネット状シート１は、経糸２と緯糸３の交点Ｐにおいてフィラメント同士が熱融着されたシートであり、その接着強度により栽培用ハウス等の施工時の取り扱いによる目ズレやシート裁断時にホズレを生じることがなく作業性が向上し、また施工後のシートにある程度の衝撃や張力が加わっても目ズレを起こしにくく防虫効果を低下することなく長期の使用が可能となる。
【００２６】
このフィラメント同士の熱融着は、編織後のシートを加熱処理機を用いて熱融着温度以上に加熱処理することで実施され、加熱処理機としては熱ロール型加熱機、赤外線加熱機、超音波加熱機等が使用できる。
【００２７】
本考案のネット状シート１は、ネットの目合いＡ，Ｂが０．３０〜０．８０ｍｍであることが好ましく、さらには０．６ｍｍ以下であることがより好ましい。目合いが０．８０ｍｍを越えるとシルバーリーフコナジラミなどのコナジラミ類、ハモグリバエ類などの微小害虫の侵入を確実に阻止することができず、減農薬栽培や無農薬栽培の実現が困難となり、目合いが０．３０ｍｍ未満になると通気性、通水性が極端に低下し農作物の栽培に悪影響を及ぼすようになる。
【００２８】
さらに、本考案のネット状シート１の通風抵抗が５．０Ｐａ以下であることが好ましく、通気性や通水性を確保してハウス内の温度や湿度の上昇、ムレの発生を防いぎ農作物の育成を妨げることのない適切な栽培環境を得ることができる。
【００２９】
上記目合いの設定と通風抵抗の確保は、フィラメントの繊度や構成、打ち込み密度及び編織の形態によって適宜調整することができる。
【００３０】
また、本考案のネット状シートでは、幅０．５〜２０ｍｍ程度のテープヤーンを経糸２又は／及び緯糸３と平行に５〜２０ｃｍ程度の間隔を置いて配置したものでもよく、このヤーンはアルミニウム等の金属を表面に蒸着したものも使用できる。
【００３１】
（実施例）
以下、実施例により本考案を更に詳しく説明する。
【００３２】
図１は実施例の平織物からなるネット状シート１の平面模式図、図２、図３は比較例１（従来品）及び比較例２の平織物からなるネット状シート１０，２０の平面模式図である。図において符号２，１２，２２はそれぞれの経糸、３，１３，２３はそれぞれの緯糸、Ａ〜Ｆは経糸及び緯糸方向のそれぞれの目合い、Ｐは経糸と緯糸の交点である。
【００３３】
図１に示す実施例は、ポリエチレンテレフタレート（ＰＥＴ）を溶融紡糸した８３デシテクス（ｄｔ）のマルチフィラメントを経糸２と緯糸３に用いて経糸密度５０本／インチ、緯糸密度３５本／インチの密度で目合いの設定を０．４５ｍｍとして平織物を形成したネット状シート１であり、熱処理加工を施し糸の交点Ｐが熱融着されたものである。
【００３４】
比較例１は、ポリエチレン（ＰＥ）を溶融紡糸した３３０ｄｔのマルチフィラメントを経糸１２と緯糸１３に用いて経糸密度２０本／インチ、緯糸密度２０本／インチの密度で目合いの設定を１．０ｍｍとして平織物を形成した図２に示す従来品のネット状シート１０であり、比較例２は比較例１と同様のＰＥ３３０ｄｔのマルチフィラメントを経糸２２と緯糸２３に用いて経糸密度４０本／インチ、緯糸密度４０本／インチの密度で目合いの設定を０．４５ｍｍとして平織物を形成した、従来品よりも目合いを細かくして防虫性を向上した図３に示すネット状シート２０であり、いずれも糸の交点Ｐでの熱融着処理は行われていない。
【００３５】
なお、目合いは経糸方向及び緯糸方向の目合いの平均値、シートの単位重量はＪＩＳ　Ｌ１０９６に記載の単位面積当たりの質量（標準状態）に準拠し、通風抵抗は風速２．０ｍ／秒での測定値である。
【００３６】
実施例のネット状シート１は、比較例１の従来品のネット状シート１０に比べ、シート重量が０．０６ｇ／ｍ２　から０．０３ｇ／ｍ２　に半減し、目合いが０．４５ｍｍであって、糸の交点Ｐが熱融着されているので目ズレやホズレを起こすことがなくコナジラミ類やハモグリバエ類、スリップス類などの微小害虫の侵入を確実に防止することができ、しかも軽量であって作業性を向上し、かつ通風抵抗が３．９Ｐａであるので通気性や通水性を十分に確保することができる。
【００３７】
一方、比較例１のシート１０は、目合いが１ｍｍと大きいためアブラムシ類などの１ｍｍ程度の大きな害虫も容易に侵入し、糸交点Ｐの熱融着が無いため目ズレやホズレを起こしやすく作業性にも問題がある。
【００３８】
目合いを実施例並みの０．４５ｍｍに細かくした比較例２のシート２０は、糸交点Ｐの熱融着が無しでも糸が太く密度が高いため目ズレを起こしにくく防虫性を向上することはできるが、シート重量が０．１２ｇ／ｍ２　となって従来品より倍増し作業性が大きく低下し、さらに通風抵抗が１０．８Ｐａと大きくなり通気性や通水性が悪化し農作物の栽培には不適であることが明らかである。
【００３９】
なお、本考案のネット状シートは、上記実施例で説明した野菜、花、樹木等の栽培用に用いられる農業用被覆ネットを始めとして、防虫ネット、防鳥ネット、防風ネット、各種防護ネットや法面ネット、植生ネット等の各種ネットに使用することができるのは勿論のことである。
【００４０】
【考案の効果】
以上説明したように本考案のネット状シートによれば、ネットの目合いが細かく微小害虫の侵入を完全に防止することができ、しかもシートの重量が軽く作業性に優れ、かつ通気性や通水性を確保し農作物などの栽培に悪影響を及ぼすことがなく、無農薬、減農薬栽培を実現することができる優れた効果を有している。
【図面の簡単な説明】
【図１】実施例のネット状シートの平面模式図である。
【図２】比較例１のネット状シートの平面模式図である。
【図３】比較例２のネット状シートの平面模式図である。
【符号の説明】
１……ネット状シート
２……経糸
３……緯糸
Ａ，Ｂ……目合い
Ｐ……経糸と緯糸の交点
【図１】
0003097738.tif 000003
【図２】
0003097738.tif 000004
【図３】
0003097738.tif 000005